(57)【要約】【課題】  家電製品用の高さ調節装置およびこれを具備した家電製品を提供する。【解決手段】  本発明は家電製品の高さ調節範囲を拡大できる家電製品用の高さ調節装置およびこれを具備した家電製品に関する。前記本発明による家電製品用の高さ調節装置を具備した家電製品は、本体の底板に設けられる支持部材と、前記支持部材と連結される支持脚とを用いて本体の高さを調節することができ、よって本体の高さ調節範囲が一層大幅に拡大される。【選択図】  図２
2005144146.tif 000002
【特許請求の範囲】
【請求項１】
本体の底板と設置面との間に設けられる少なくとも一つの支持脚と、
前記支持脚が結合されるように設けられた脚結合部を具備し、前記底板に設置される少なくとも一つの支持部材とを含み、
前記支持部材は設置面に対して前記脚結合部の高さを変えられるように取付状態が転換可能に設けられたことを特徴とする家電製品用の高さ調節装置。
【請求項２】
前記支持部材の取付状態は前記脚結合部が前記底板の内面と外面のうち何れか一つに位置するように転換されることを特徴とする請求項１に記載の家電製品用の高さ調節装置。
【請求項３】
前記支持部材は前記底板に支持されるように設けられた底板結合部と、
前記底板結合部から一側に突出されて終端に脚結合部が設けられた隆起部を具備し、前記対応する隆起部の選択的な出入りを可能にするために貫通穴が設けられ、
前記底板結合部は前記脚結合部が前記底板の内面と外面のうち何れか一つに位置するように第１面と第２面のうち何れか一つが前記底板に選択的に支持されるように設けられたことを特徴とする請求項２に記載の家電製品用の高さ調節装置。
【請求項４】
前記底板結合部は前記底板の外面に支持されることを特徴とする請求項３に記載の家電製品用の高さ調節装置。
【請求項５】
前記支持部材は前記底板に着脱可能に結合され、前記支持脚は前記支持部材に着脱可能に結合されたことを特徴とする請求項３に記載の家電製品用の高さ調節装置。
【請求項６】
前記支持脚は前記本体の高さを調節できるように設けられたことを特徴とする請求項３に記載の家電製品用の高さ調節装置。
【請求項７】
前記脚結合部には締付穴が設けられ、前記支持脚は前記締付穴に結合される脚部と前記締付穴の外側に止められるように設けられた頭部とを含み、前記支持脚を回転させることにより前記本体の高さが調節できるように前記締付穴と前記脚部にはそれぞれ雌螺子と雄螺子が形成されたことを特徴とする請求項６に記載の家電製品用の高さ調節装置。
【請求項８】
前記頭部の外径は前記隆起部の内径より小さく形成されたことを特徴とする請求項７に記載の家電製品用の高さ調節装置。
【請求項９】
前記頭部の長さは前記隆起部の長さより大きく形成されたことを特徴とする請求項７に記載の家電製品用の高さ調節装置。
【請求項１０】
本体と、
前記本体に設けられた底板と、
前記底板と設置面との間に設けられる少なくとも一つの支持脚と、
前記支持脚が結合されるように設けられた脚結合部を具備し、前記底板に設置される少なくとも一つの支持部材とを含み、
前記支持部材は前記設置面に対して前記脚結合部の高さを変えられるように取付状態が転換可能に設けられたことを特徴とする家電製品用の高さ調節装置を具備した家電製品。
【請求項１１】
前記支持部材の取付状態は前記脚結合部が前記底板の内部と外部のうち何れか一つに位置するように転換されることを特徴とする請求項１０に記載の家電製品用の高さ調節装置を具備した家電製品。
【請求項１２】
前記支持部材は前記底板に支持されるように設けられた底板結合部と、
前記底板結合部から一側に突出されて終端に前記脚結合部が設けられた隆起部を具備し、前記底板には前記対応する隆起部の選択的な出入りを可能にするために支持部材の設置位置に対応する貫通穴が設けられ、
前記底板結合部は前記脚結合部が前記底板の内面と外面のうち何れか一つに位置するように第１面と第２面のうち一面が前記底板に選択的に支持されるように設けられたことを特徴とする請求項１１に記載の家電製品用の高さ調節装置を具備した家電製品。
【請求項１３】
前記支持脚は前記本体の高さを調節できるように設けられたことを特徴とする請求項１２に記載の家電製品用の高さ調節装置を具備した家電製品。
【請求項１４】
前記家電製品はドラム型洗濯機であることを特徴とする請求項１３に記載の家電製品用の高さ調節装置を具備した家電製品。
【請求項１５】
前記家電製品はドラム型乾燥機であることを特徴とする請求項１３に記載の家電製品用の高さ調節装置を具備した家電製品。
【請求項１６】
設置面に対する支持面の位置を調節する位置調節装置において、
支持脚と、
支持部材とを含み、
前記支持部材から突出される支持脚の長さを可変できるように支持部材の第１縁部に支持脚が結合されるように設けられ、
支持面から支持部材の第１縁部までの距離を可変できるように、複数の取付状態で支持面に結合可能に設けられて、前記支持面に対する支持部材の取付状態を可変させることを特徴とする位置調節装置。
【請求項１７】
前記支持脚は、
頭部と、
外側に雄螺子が形成された脚部とを含み、
前記支持部材は、支持部材の第１縁部に位置し、前記脚部に対応して内側に雌螺子が形成された締付穴を具備する脚結合部と、
複数の取付状態で支持面に結合できるように設けられた支持面結合部と、
前記支持面結合部から突出されて脚結合部と支持面結合部とを連結する隆起部とを含むことを特徴とする請求項１６に記載の位置調節装置。
【請求項１８】
前記支持面は貫通穴と少なくとも一つの取付穴を具備し、
前記支持面結合部は、前記支持面結合部を前記支持面に取り付けるために、貫通穴より大きく形成されて、支持面の少なくとも一つの取付穴に対応する少なくとも一つの取付穴を具備し、
前記隆起部は貫通穴に挿入できるように大きさが調節されることを特徴とする請求項１７に記載の位置調節装置。
【請求項１９】
前記支持部材は、支持面結合部が支持面の外側と結合されて隆起部が前記設置面に対して突出するように支持面と結合することができ、
前記支持部材は、支持面結合部が支持面の内側と結合されて隆起部が前記設置面に向って貫通穴を通して突出するように支持面と結合することができ、
前記支持部材は、支持面結合部が支持面の外側と結合されて隆起部が前記設置面から離れて貫通穴を通して突出するように支持面と結合することができ、
前記支持部材は、支持面結合部が支持面の内側と結合されて隆起部が前記設置面から離れて突出するように支持面と結合することができることを特徴とする請求項１８に記載の位置調整装置。
【請求項２０】
前記頭部は前記隆起部に挿入できるように大きさが調節され、
前記頭部の長さは前記頭部が隆起部に最大限に挿入されたときの長さに調節され、前記支持部材は、隆起部が設置面から離れて突出されて前記頭部の部分が隆起部から突出されるように前記支持部材を支持面と結合させることにより、設置面に決められる装置の位置を頭部の長さ以下に調節することができることを特徴とする請求項１７に記載の位置調整装置。
【請求項２１】
前記脚結合部、隆起部、支持面結合部は必須不可欠な構成要素であることを特徴とする請求項１７に記載の位置調整装置。
【発明の詳細な説明】
【技術分野】
【０００１】
本発明は、家電製品用の高さ調節装置およびこれを具備した家電製品に関し、特に家電製品の高さ調節範囲が拡大できる家電製品用の高さ調節装置およびこれを具備した家電製品に関する。
【背景技術】
【０００２】
一般に、洗濯機や冷蔵庫のような家電製品は、本体を具備し、本体の底板にはこのような家電製品の高さが設置環境に適合するように調節できる高さ調節装置が設けられている。
【０００３】
このような高さ調節装置は底板の各角に設けられて雌螺子が加工された締付穴と、各締付穴に螺子結合方式により締め付けられる支持脚とを含み、各支持脚は前記締付穴のうち対応する何れか一つに結合されて外周に雄螺子が加工された脚部と、締付穴のうち対応する何れか一つの底板に止められるように設けられた頭部を具備する。
【０００４】
したがって、前記のような高さ調節装置を具備した家電製品は、締付穴にそれぞれ締め付けられる支持脚を回転させて底板と設置面との間の距離を調節することにより本体の高さを調節することができる。
【０００５】
ところが、このような従来の家電製品用の高さ調節装置は底板に螺子結合方式により締め付けられた支持脚を回転させることにより本体の高さが調節できるため、本体の高さ調節範囲が支持脚の脚部の長さまでに制限される。よって、必要な場合に本体の高さ調節範囲を支持脚の長さ以上に拡大したり支持脚の頭部の長さ以下に縮小したりできない問題点があった。
【発明の開示】
【発明が解決しようとする課題】
【０００６】
従って、本発明は、前述した従来の問題点を解決するために案出されたものであり、家電製品の高さ調節範囲が拡大できるように設けられた家電製品用の高さ調節装置およびこれを具備した家電製品を提供することにその目的がある。
【課題を解決するための手段】
【０００７】
前記目的を達成するために、本発明による家電製品用の高さ調節装置およびこれを具備した家電製品は、本体の底板と設置面との間に設けられる少なくとも一つの支持脚と、前記支持脚が結合されるように設けられた脚結合部を具備し、前記底板に設置される少なくとも一つの支持部材とを含み、前記支持部材は設置面に対して前記脚結合部の高さを変えられるように取付状態を転換可能に設けられたことを特徴とする。
【０００８】
また、前記支持部材の取付状態は前記脚結合部が前記底板の内面と外面のうち何れか一つに位置するように転換されることを特徴とする。
【０００９】
また、前記支持部材は、前記底板に支持されるように設けられた底板結合部と、前記底板結合部から一側に突出されて終端に脚結合部が設けられた隆起部を具備し、前記対応する隆起部の選択的な出入りを可能にするために貫通穴が設けられ、前記底板結合部は前記脚結合部が前記底板の内面と外面のうち何れか一つに位置するように第１面と第２面のうち何れか一つが前記底板に選択的に支持されるように設けられたことを特徴とする。
【００１０】
また、前記底板結合部は前記底板の外面に支持されることを特徴とする。
【００１１】
また、前記支持部材は前記底板に着脱可能に結合され、前記支持脚は前記支持部材に着脱可能に結合されたことを特徴とする。
【００１２】
また、前記支持脚は前記本体の高さを調節できるように設けられたことを特徴とする。
【００１３】
また、前記脚結合部には締付穴が設けられ、前記支持脚は前記締付穴に結合される脚部と前記締付穴の外側に止められるように設けられた頭部とを含み、前記支持脚を回転させることにより前記本体の高さを調節できるように、前記締付穴と前記脚部にはそれぞれ雌螺子と雄螺子が形成されたことを特徴とする。
【００１４】
また、前記頭部の外径は前記隆起部の内径より小さく形成されたことを特徴とする。
【００１５】
また、前記頭部の長さは前記隆起部の長さより大きく形成されたことを特徴とする。
【００１６】
また、前記家電製品はドラム型洗濯機であることを特徴とする。
【００１７】
また、前記家電製品はドラム型乾燥機であることを特徴とする。
【発明の効果】
【００１８】
本発明に係る電製品用の高さ調節装置およびこれを具備した家電製品は、本体の底板に設けられる支持部材と、前記支持部材と連結される支持脚とを用いて本体の高さを調節することができ、本体の高さ調節範囲が一層大幅に拡大される効果がある。
【発明を実施するための最良の形態】
【００１９】
以下、本発明に係る好ましい実施形態を添付図面を参照しつつ詳細に説明する。なお、この発明の実施の形態について同一の参照符号は同一の構成要素を意味する。
【００２０】
本発明の実施例による家電製品用の高さ調節装置を具備した家電製品は、図１に示したような外観をなす本体１０を具備し、前記本体１０の底板１１と設置面との間には本体１０を支持すると同時に本体１０の高さを調節するための家電製品用の高さ調節装置２０が設けられる。
【００２１】
このような家電製品用の高さ調節装置２０は、本体１０の底板１１と設置面との間に設けられる支持脚３０と、前記支持脚３０が結合されるように底板１１に設置される支持部材４０とを含み、前記本体１０の高さは前記支持脚３０および支持部材４０を通じて調節される。
【００２２】
図２に示したように、支持脚３０は支持部材４０に着脱可能に結合されるが、前記支持部材４０には支持脚３０との結合のために締付穴４１ａの形成された脚結合部４１が設けられ、前記支持脚３０は前記締付穴４１ａに結合される脚部３１と前記締付穴４１ａの外側の脚結合部４１に止められるように設けられた頭部３２とを具備する。かつ、前記支持脚３０を用いて本体１０の高さを調節できるように締付穴４１ａの内周には雌螺子が形成され、支持脚３０の脚部３１の外周には雄螺子が加工される。したがって、締付穴４１ａに支持脚３０の脚部３１が螺子結合方式により結合された状態で支持脚３０を一方に回転させると、支持脚３０が支持部材４０の外側に所定長さだけ移動して本体１０の高さが高くなり、逆に支持脚３０を反対方向に回転させると支持脚３０が支持部材４０の内側に所定長さだけ移動して本体１０の高さが低くなる。
【００２３】
かつ、支持脚３０の脚部３１の長さが一定長さを保持するように設けられたため、支持脚３０を本体１０の高さが高くなる方向に回転し続けると、支持脚３０の脚部３１が締付穴４１ａから抜けて支持脚３０が支持部材４０から分離され、逆に支持脚３０を本体１０の高さが低くなる方向に回転し続けると、支持脚３０の頭部３２が締付穴４１ａの外側の脚結合部４１に止められてそれ以上本体１０の高さが低くなることを抑える。
【００２４】
一方、本体１０の底板１１の各角には所定大きさの貫通穴１２が形成され、支持脚３０が結合される前記支持部材４０は前記貫通穴１２を覆うように貫通穴１２側の底板１１に着脱可能に結合されるが、前記支持部材４０は前記脚結合部４１の高さを変えられるように設けられて、前記本体１０の高さは支持脚３０の移動とは関係なく調節することができる。
【００２５】
次に、このような支持部材４０の構造および支持部材４０を用いた本体１０の高さ調節作用に関して説明することにする。
【００２６】
まず、支持部材４０は縁側に環状で設けられる底板結合部４２を具備し、前記底板結合部４２およびこれに対応する部位の貫通穴１２側の底板１１には支持部材４０を底板１１に螺子結合させるための多数の締付穴１３が設けられている。したがって、底板結合部４２に形成された締付穴１３が底板１１に形成された締付穴１３と互いに一致するように前記支持部材４０の底板結合部４２を底板１１の外面に支持した状態で各締付穴１３に螺子１４を締め付けることにより前記支持部材４０は底板１１に結合され、前記支持部材４０は底板結合部４２がひっくり返された状態でも底板１１に結合することができる。
【００２７】
なお、支持部材４０は底板結合部４２の内側に底板結合部４２と一体で形成される隆起部４３をさらに具備し、前記それぞれの貫通穴１２は前記隆起部４３の出入りができるように形成されるが、前記隆起部４３は、図３に示したように、支持部材４０の底板結合部４２の上面が底板１１の外面に支持される場合には貫通穴１２の下側方向に突出形成され、逆に図４に示したように、支持部材４０の底板結合部４２の下面が底板１１の外面に支持される場合には貫通穴１２の上側方向に突出形成されて、支持脚３０が結合される前記脚結合部４１は前記隆起部４３の終端に設けられる。
【００２８】
したがって、図４に示したように、このような隆起部４３が貫通穴１２の方向に突出するように支持部材４０を底板１１に設置すると、脚結合部４１の位置が底板１１の上部に移動して本体１０の高さが低くなり、逆に図３に示したように、隆起部４３が貫通穴１２の下側方向に突出するように支持部材４０を底板１１に設置すると、脚結合部４１の位置が底板１１の下部に移動して本体１０の高さが高くなり、よって本体１０の高さは支持部材４０を用いて調節できるようになる。
【００２９】
そして、前記本発明による家電製品用の高さ調節装置２０は支持脚３０はもちろん支持部材４０を通じても本体１０の高さを調節できるため本体１０の高さ調節範囲が拡大されて、本体１０の高さを大幅に調節する必要のある家電製品にさらに効率的に使用できる。
【００３０】
すなわち、図３に示したように、隆起部４３が貫通穴１２の下側方向に突出するように支持部材４０を底板１１の外面に結合した状態で支持部材４０の締付穴４１ａに支持脚３０を結合させると、底板１１は支持部材４０の外部に延長された支持脚３０の長さに隆起部４３の長さを加えた分だけ設置面から離隔される。よって、本体１０の高さは支持脚３０の最大延長長さ以上に調節することができる。
【００３１】
かつ、図４に示したように、支持部材４０をひっくり返して隆起部４３が貫通穴１２の上側方向に突出するように底板１１の外面に結合した状態で締付穴４１ａに支持脚３０を結合させ、支持脚３０の頭部３２の上部が隆起部４３の内側に位置するように支持脚３０を回転させると、本体１０の高さは支持脚３０の脚部３１全体が本体１０の内に入り込むように縮められる。
【００３２】
なお、支持部材４０の底板結合部４２は底板１１の内面に支持されるように設置しても構わないが、本体１０が組み立て終わった状態や使用途中にも支持部材４０の取付状態を容易に転換できるように底板１１の外面に支持されるように設置した方が望ましい。
【００３３】
さらに、支持脚３０の頭部３２の外径は支持部材４０の隆起部４３の内径より小さくする方が望ましいが、これは隆起部４３が貫通穴１２の上側方向に突出するように設けられた状態で支持脚３０の頭部３２の上部が隆起部４３の内部に位置するようにして、底板１１と設置面との間の距離を支持脚３０の頭部３２の長さ以下にも調節できるようにするためである。かつ、本体１０の高さを最大限に低くした状態でも本体１０が支持脚３０により設置面に支持されるように、支持脚３０の頭部３２の長さは支持部材４０の隆起部４３の長さより長くした方が望ましい。
【００３４】
一方、このような家電製品用の高さ調節装置２０は当然、洗濯機や乾燥機、冷蔵庫、ガスオーブンまたは表面に対する平準化や調整を必要とする他の大・小型装置などにすべて適用可能である。しかし、前記装置２０は単独はもちろん積載型としてよく使用されるドラム型洗濯機や乾燥機などの家電製品でもさらに効果的に適用することができる。次は、このような家電製品用の高さ調節装置２０がドラム型洗濯機と乾燥機に適用された例に関して説明することにする。
【００３５】
図５は本発明による家電製品用の高さ調節装置２０が２段で積載されたドラム型洗濯機とドラム型乾燥機に適用された状態を示したものである。
【００３６】
図５に示したように、通常のドラム型洗濯機５０およびドラム型乾燥機６０はドア５２，６２が本体５１，６１の前面にそれぞれ設置され、単独にまたは設置面積を縮小するために多段に積載して使用され、図示したように多段に積載して使用される場合には、重さがより軽い乾燥機６０が洗濯機５０の上部に積載される。
【００３７】
かつ、このようなドラム型洗濯機５０と乾燥機６０の本体５１，６１、底板５３，６３にはそれぞれ前記家電製品用の高さ調節装置２０が設置されるが、この際、下部に設置されるドラム型洗濯機５０の高さ調節装置２０は脚結合部４１が底板５３の下部に位置するように支持部材４０の隆起部４３が下側方向に突出形成され、支持脚３０が支持部材４０の外側に最大限に延長形成される。
【００３８】
したがって、下部に設けられるドラム型洗濯機５０の本体５１は前記高さ調節装置２０により支持脚３０の長さ以上に高さが伸びたので、洗濯物の収納時に使用者が体を屈めることによる不便さを解消できる。
【００３９】
なお、上部に設置されるドラム型乾燥機６０の高さ調節装置２０は脚結合部４１が底板６３の上部に位置するように支持部材４０の隆起部４３が上側方向に突出形成され、支持脚３０が支持部材４０の内側に最大限に移動するように設けられる。
【００４０】
したがって、上部に設けられるドラム型乾燥機６０の本体６１は洗濯機５０の本体５１の上段との距離が支持脚３０の頭部３２の長さ以下に縮小されてその分だけ高さが縮むことにより、使用者が足載せ台などを使用しなくても内容物を本体６１から容易に取り出したり入れたりすることができる。
【００４１】
このように本発明の実施例による家電製品用の高さ調節装置２０は、支持脚３０はもちろん支持部材４０を用いて本体１０の高さを調節することができて、家電製品の本体１０の高さ調節範囲が大幅に拡大され、このような家電製品用の高さ調節装置２０は、単独はもちろん積載型としても広く使用されているドラム型洗濯機５０や乾燥機６０にも一層効果的に使用できる。
【００４２】
かつ、図示されていないが、前記のような本発明による家電製品用の高さ調節装置２０は多段に積載されたドラム型洗濯機５０や多段に積載されたドラム型乾燥機６０に適用しても前記と同一の作用効果を発揮できる。
【００４３】
次に、前記のように構成された本発明による家電製品用の高さ調節装置２０を具備した家電製品の作用効果を高さ調節装置２０の組立および動作過程と共に詳細に説明することにする。
【００４４】
まず、家電製品用の高さ調節装置２０の設置時、底板１１と設置面との間の最大距離が支持脚３０の長さ以上となるように本体１０の高さを調節する場合には、隆起部４３が貫通穴１２の下側方向に突出するように支持部材４０を貫通穴１２側の底板１１に位置させた状態で底板１１に形成された締付穴１３と支持部材４０の底板結合部４２に形成された締付穴１３を互いに一致させて、各締付穴１３に螺子１４を結合して支持部材４０を底板１１に固定する。次に、支持脚３０の脚部３１を支持部材４０の脚結合部４１に形成された締付穴４１ａに締め付けることにより、家電製品用の高さ調節装置２０の設置が完了し、前記状態で底板１１と設置面との間の最大距離が支持脚３０の長さ以上となるように支持脚３０を回転させることにより、本体１０の高さを調節することができる。
【００４５】
かつ、前記状態で再び底板１１と設置面との間の最小距離が支持脚３０の頭部３２の長さ以下となるように本体１０の高さを調節する場合には、まず支持脚３０を支持部材４０から分離し、支持部材４０を本体１０の底板１１から分離した後、隆起部４３が貫通穴１２の上側方向に突出するように支持部材４０を再び底板１１に固定する。次に、支持脚３０の脚部３１を再び支持部材４０の脚結合部４１に形成された締付穴４１ａに締め付けて、前記状態で底板１１と設置面との間の最小距離が支持脚３０の頭部３２の長さ以下となるように支持脚３０を回転させることにより、本体１０の高さを調節することができる。
【００４６】
前述したように、本発明による家電製品用の高さ調節装置２０およびこれを具備した家電製品は、本体の底板と設置面との間に設けられる支持脚３０はもちろん支持脚３０が結合されるように底板に設けられる支持部材４０により本体１０の高さを調節することにより、本体１０の高さ調節範囲が一層大幅に拡大される長所がある。
【００４７】
かつ、本発明において垂直長さの調整に関して述べたが、本発明は水平距離を調整して隣接した側壁間の相対的な距離を調整するためにも適用可能である。
【００４８】
以上、本発明を具体的な実施例を挙げて説明してきたが、本発明の思想を外れない範囲内で様々な変形が可能であることは当業者にとって自明であり、従って、本発明の範囲は特許請求の範囲及びその請求の範囲と均等なものによって定められるべきである。
【図面の簡単な説明】
【００４９】
【図１】本発明による家電製品用の高さ調節装置を具備した家電製品の主要部を示した斜視図である。
【図２】本発明による家電製品用の高さ調節装置の構造を示した分解斜視図である。
【図３】本発明による家電製品用の高さ調節装置において、支持部材の取付状態を異にして示した断面図である。
【図４】本発明による家電製品用の高さ調節装置において、支持部材の取付状態を異にして示した断面図である。
【図５】本発明による家電製品用の高さ調節装置を下部のドラム型洗濯機および上部に積載されたドラム型乾燥機にそれぞれ適用した場合を示した側面図であって、主要部を断面処理してある。
【符号の説明】
【００５０】
１０  本体
１１  底板
１２  貫通穴
１３  締付穴
１４  螺子
２０  高さ調節装置
３０  支持脚
３１  脚部
３２  頭部
４０  支持部材
４１  脚結合部
４１ａ  締付穴
４２  底板結合部
４３  隆起部
５０  ドラム型洗濯機
５１，６１  本体
５２，６２  ドア
５３，６３  底板
６０  ドラム型乾燥機
【図１】
2005144146.tif 000003
【図２】
2005144146.tif 000004
【図３】
2005144146.tif 000005
【図４】
2005144146.tif 000006
【図５】
2005144146.tif 000007